(57)【要約】【課題】専門的な知識を有しない水栓の使用者であっても、容易に温調ハンドルの回転方向の位置が適正な位置となるように調整することのできる湯水混合水栓を提供する。【解決手段】水栓本体部１０に設けられ、回転により混合弁体を移動させる温調軸４２と、回転式の温調ハンドル１２とを、温調軸４２の側の雄セレーション部６２と、温調ハンドル１２に設けた雌セレーション部８４との噛合いにより一体回転状態に連結して成る湯水混合水栓において、温調ハンドル１２には、周方向の３個所に雌セレーション部８４を備えた噛合部材８０を温調ハンドル１２と一体回転状態且つ径方向に移動可能に設けるとともに、噛合部材８０を径方向内方に付勢して雄セレーション部６２に噛合わせる板ばね８６と、軸方向の押込みにより噛合部材８０を径方向外方に後退させ、雄セレーション部６２との噛合いを解除させる解除部材８８とを設けておく。【選択図】        図１
2012241404.tif 000002
【特許請求の範囲】
【請求項１】
水栓本体部に設けられ、回転により混合弁体を移動させる温調軸と、回転式の温調ハンドルとを、該温調軸の回転方向に沿って設けた該温調軸の側の軸側噛合歯と、該温調ハンドルに設けたハンドル側噛合歯との噛合いにより一体回転状態に連結して成る湯水混合水栓において、
前記温調ハンドルには、周方向の１個所又は複数個所に、前記ハンドル側噛合歯を備えた噛合部材を該温調ハンドルと一体回転状態且つ径方向に移動可能に設けるとともに、
該噛合部材を径方向内方に付勢し、その付勢力にて該噛合部材を前記軸側噛合歯に噛合わせる付勢部材と、
軸方向の押込みにより該噛合部材を前記付勢部材の付勢力に抗して径方向外方に後退させ、前記軸側噛合歯との噛合いを解除させる解除部材と、
を設けたことを特徴とする湯水混合水栓。
【請求項２】
請求項１において、前記解除部材の押圧部を前記噛合部材の被押圧部に押圧することで該噛合部材を前記径方向外方に後退させるようになしてあり、
該押圧部と被押圧部との少なくとも一方には、該解除部材の軸方向の押圧にて該噛合部材を該径方向外方に移動させるカム面が設けてあることを特徴とする湯水混合水栓。
【請求項３】
請求項１，２の何れかにおいて、前記温調ハンドルには、前記噛合部材を径方向に移動案内するガイド部が設けてあることを特徴とする湯水混合水栓。
【発明の詳細な説明】
【技術分野】
【０００１】
この発明は湯水混合水栓に関し、詳しくは温調ハンドル周りの構造に特徴を有するものに関する。
【背景技術】
【０００２】
従来、水と湯とを混合し且つその混合比率を変化させて吐水の温度調節を行う湯水混合水栓が広く用いられている。
一般にこの種の湯水混合水栓では、温調ハンドル（温度調節ハンドル）が回転式のハンドルとされ、温調ハンドルの回転操作によって吐水の温度が調節される。
【０００３】
湯水混合水栓では、温調ハンドルが現在どのような操作位置にあるか、具体的には温調ハンドルの操作による現在の吐水の設定温度を表すために、通常は温調ハンドル側に温度表示部が、また水栓本体部の側に温度表示部の特定の部位を指し示す指示部が設けられる。
この場合、指示部が指し示した部位の温度が現在の設定温度を表す。
【０００４】
図６はその具体例を示している。
図６において２００は水栓本体部，２０２は回転式の温調ハンドル、２０４は温調ハンドル２０２に設けられた温度表示部，２０６は水栓本体部２００の側に設けられた指示部である。
ここでは指示部２０６が指し示している表示４０・の温度が現在の設定温度（ここでは適温の４０℃）であることを表している。
【０００５】
２０８は温調軸（温度調節軸）２１０の回転方向に沿って全周に亘り設けられた、温調軸２１０の側のセレーション部（軸側噛合歯）で、このセレーション部２０８に対して、温調ハンドル２０２にほぼ全周に亘り設けられたセレーション部（ハンドル側噛合歯）２１２が噛み合され、以て温調軸２１０と温調ハンドル２０２とが一体回転状態に連結されている。
尚セレーション部２０８は、温調軸２１０に組み付けられたセレーション部材２１４の外周面に形成されている。
ここで温調ハンドル２０２は、水栓本体部２００に対して軸方向に抜止状態に組み付けられている。
【０００６】
図６に示すものにおいては、温調ハンドル２０２を回転操作すると温調軸２１０が回転し、これにより水栓本体部２００の内部の混合弁体が位置移動して水と湯との混合比率を変化させる。即ち吐水温度を変化させる。
【０００７】
ところで湯水混合水栓を工場で生産し出荷するときには、温調ハンドル２０２側の温度表示部２０４と水栓本体部２００側の指示部２０６とにより表される設定温度が実際の吐水温度と合致するように、温調ハンドル２０２の回転方向の組付位置が調節されているが、実際に湯水混合水栓を様々な設置現場で設置施工したとき、設置現場の給水圧その他の条件の相異によって、温度表示部２０４と指示部２０６とで表される設定温度よりも実際の吐水温度が高かったり或いは低かったりする等、温調ハンドル２０２による設定温度と実際の吐水温度との間にズレが生じるといったことが起り得る。
【０００８】
この場合、水栓の使用者が温度表示部２０４と指示部２０６とに基づいて温調ハンドル２０２を回転操作し、吐水の温度設定を行っても、求める温度で吐水させることができず、水栓の使い勝手が悪化する。
【０００９】
このような設定温度と実際の吐水温度とのズレを解消するため、従来にあっては、温調ハンドル２０２を一旦水栓本体部２００から取外して、即ち温調ハンドル２０２の取付構造を一旦ばらした上で、温調ハンドル２０２の回転方向の位置を調整して再組付けするといったことを設置現場毎に行うが、この作業は面倒な作業となる。
特に専門的な知識を有しない水栓の使用者が、こうした調整を行うといったことは実際上困難である。
【００１０】
尚、本発明に関連する先行技術として下記特許文献１には、温調ハンドルに設けた解除ボタンを軸方向に押し込むことで温調ハンドルの固定を解除して、これを軸方向に移動させ、これによりハンドル側噛合歯と軸側噛合歯との噛合いを解除した上で温調ハンドルを空回転可能とし、その状態で温調ハンドルの回転位置を調節するようになした点が開示されている。
【００１１】
この特許文献１に開示のものは、温調ハンドルにより設定された温度と実際の吐水温度とのズレを解消することを目的としている点で本願発明と共通しているが、この特許文献１に開示のものは解決手段において本発明と異なった別異のものである。
【先行技術文献】
【特許文献】
【００１２】
【特許文献１】特開２００８−１３８７３４号公報
【発明の概要】
【発明が解決しようとする課題】
【００１３】
本発明は以上のような事情を背景とし、専門的な知識を有しない水栓の使用者であっても、容易に温調ハンドルの回転方向の位置が適正な位置となるように調整することのできる湯水混合水栓を提供することを目的としてなされたものである。
【課題を解決するための手段】
【００１４】
而して請求項１のものは、水栓本体部に設けられ、回転により混合弁体を移動させる温調軸と、回転式の温調ハンドルとを、該温調軸の回転方向に沿って設けた該温調軸の側の軸側噛合歯と、該温調ハンドルに設けたハンドル側噛合歯との噛合いにより一体回転状態に連結して成る湯水混合水栓において、前記温調ハンドルには、周方向の１個所又は複数個所に、前記ハンドル側噛合歯を備えた噛合部材を該温調ハンドルと一体回転状態且つ径方向に移動可能に設けるとともに、該噛合部材を径方向内方に付勢し、その付勢力にて該噛合部材を前記軸側噛合歯に噛合わせる付勢部材と、軸方向の押込みにより該噛合部材を前記付勢部材の付勢力に抗して径方向外方に後退させ、前記軸側噛合歯との噛合いを解除させる解除部材と、を設けたことを特徴とする。
【００１５】
請求項２のものは、請求項１において、前記解除部材の押圧部を前記噛合部材の被押圧部に押圧することで該噛合部材を前記径方向外方に後退させるようになしてあり、該押圧部と被押圧部との少なくとも一方には、該解除部材の軸方向の押圧にて該噛合部材を該径方向外方に移動させるカム面が設けてあることを特徴とする。
【００１６】
請求項３のものは、請求項１，２の何れかにおいて、前記温調ハンドルには、前記噛合部材を径方向に移動案内するガイド部が設けてあることを特徴とする。
【発明の作用・効果】
【００１７】
以上のように本発明は、回転式の温調ハンドルの周方向の１個所又は複数個所に、ハンドル側噛合歯を備えた噛合部材を温調ハンドルと一体回転状態且つ径方向に移動可能に設けるとともに、噛合部材を径方向内方に付勢し、その付勢力にて噛合部材を軸側噛合歯に噛み合せる付勢部材と、軸方向の押込みにより噛合部材を付勢部材の付勢力に抗して径方向外方に後退させ、軸側噛合歯との噛合いを解除させる解除部材とを設けたものである。
【００１８】
本発明では、通常時にはハンドル側噛合歯と軸側噛合歯とを噛合状態として、温調ハンドルの回転により温調軸を回転させて混合弁体を位置移動させ、混合水の温度設定の操作を行うことができる。
【００１９】
一方温調ハンドルの操作により設定した温度と実際の吐水温度との間にズレが生じている場合、解除部材の押込みによりハンドル側噛合歯と軸側噛合歯との噛合いを解除し、これにより温調ハンドルを空回転状態として、その空回転状態の下で温調ハンドルの回転方向の位置を調整することができる。
そして調整後において解除ボタンを元に戻すことで、再びハンドル側噛合歯と軸側噛合歯とを噛合状態とし、温調ハンドルの回転により混合弁体を位置移動させること、即ち通常通り温度の設定操作を行うことができる。
【００２０】
かかる本発明では、単に解除部材を押し込むだけで、そのまま温調ハンドルの回転方向の位置を調節することができ、従って専門的な知識を有しない水栓の使用者であっても、簡単に温調ハンドルの位置調節を行うことができ、温調ハンドルの操作により設定した温度と実際の吐水温度とを合せることができる。
【００２１】
尚、上記解除部材は押込み後においてこれを元に戻すとき、噛合部材を付勢する付勢部材の付勢力に基づいて元に戻すようになすことができる。但しこれとは別に、解除部材を戻すための専用の復帰ばね等の付勢部材を設けておくこともできる。
【００２２】
本発明では、解除部材の押圧部を噛合部材の被押圧部に押圧することで、噛合部材を径方向外方に後退させるようになし、そしてその押圧部と被押圧部との少なくとも一方に、解除部材の軸方向の押圧にて噛合部材を径方向外方に移動させるカム面を設けておくことができる（請求項２）。
このようにすることで、解除部材の押込みにより軽やかに噛合部材を径方向外方に後退移動させることができる。
ここで上記のカム面は傾斜面となしておくことができる。
【００２３】
本発明ではまた、温調ハンドルに、上記の噛合部材を径方向に移動案内するガイド部を設けておくことができる（請求項３）。
このようにすることで噛合部材を円滑に径方向外方に後退移動させ、或いはまた径方向内方に移動させて軸側噛合歯と噛み合せることができる。
【００２４】
尚本発明は、混合室に混合水温度に感応して混合弁体の位置調節を自動的に行う感温ばねを備えて成る自動温度調節機能付きの湯水混合水栓に適用して特に好適である。
【図面の簡単な説明】
【００２５】
【図１】本発明の一実施形態である湯水混合水栓の要部の断面図である。
【図２】同実施形態における温調ユニットを示す図である。
【図３】同実施形態の作用説明図である。
【図４】本発明の他の実施形態の要部の図である。
【図５】本発明の更に他の実施形態の要部の図である。
【図６】従来の湯水混合水栓の要部を示した図である。
【発明を実施するための形態】
【００２６】
次に本発明の実施形態を図面に基づいて以下に詳しく説明する。
図１において、１０は本実施形態の湯水混合水栓における水栓本体部で、１２は回転式の温調ハンドル（温度調節ハンドル）である。
この実施形態の湯水混合水栓は自動温度調節機能付き（サーモスタット式）の湯水混合水栓で、円筒形状のハウジング１４の内部に温調ユニット１６が組み込まれている。
【００２７】
図２にその温調ユニット１６の具体的構成が示してある。
図２において１８は弁ケース、２０は軸ケースで、それらが互いにねじ結合されている。
弁ケース１８には、軸方向に離隔した位置に水流入口２２と、湯流入口２４とが設けられており、それら水流入口２２と湯流入口２４とから水と湯とが内部に流入するようになっている。
【００２８】
流入した水と湯とは図中右方向に流れて混合室２６に至り、そこで水と湯とが混合されて、混合水が流出口２８から吐水部に向けて図中右方向に流出する。
【００２９】
３０は水と湯とを混合する混合弁体で、軸方向に離隔した水側弁部３２と湯側弁部３４、及びそれらを軸方向に連繋する連繋部３６を有している。
一方弁ケース１８には、水側弁部３２と湯側弁部３４との間において、それら水側弁部３２，湯側弁部３４に各対応した水側弁座３８，湯側弁座４０が設けられている。
【００３０】
４２は温調軸で、軸ケース２０の内部においてその内面に回転可能に嵌合する大径の円筒部４４を有している。
この円筒部４４の内周面には雌ねじ部４６が設けられており、そこに円筒形状をなす進退部材４８の外周面の雄ねじ部５０が螺合されている。
進退部材４８は、これら雌ねじ部４６と雄ねじ部５０との螺合により温調軸４２の回転にてねじ送りで図中左右方向に進退移動する。
【００３１】
この進退部材４８の図中左端側にはストッパリング５２が掛止されている。
そしてこのストッパリング５２に対して、コイルばねから成る第１バイアスばね５４の一端（図中左端）が当接せしめられている。
【００３２】
５６は同じくコイルばねから成る第２バイアスばねで、これら第１バイアスばね５４と第２バイアスばね５６との付勢力が混合弁体３０に対して右向き、即ち水側弁部３２を閉弁させ、湯側弁部３４を開弁させる方向に及ぼされている。
【００３３】
一方混合室２６の内部には、形状記憶合金製のコイル形状の感温ばね５８が収容されており、その感温ばね５８による付勢力が混合弁体３０に対し第１バイアスばね５４，第２バイアスばね５６による付勢方向とは逆方向、即ち湯側弁部３４を閉弁させ、水側弁部３２を開弁させる方向に及ぼされている。
尚６０は混合弁体３０から図中左向きに延び出した弁軸である。
この弁軸６０は、湯側弁部３４を強制的に完全閉弁させる際に引張棒として用いられる。
【００３４】
この温調ユニット１６では、第１バイアスばね５４及び第２バイアスばね５６による図中右向きの付勢力と、感温ばね５８による図中左向きの付勢力とが釣り合う位置に混合弁体３０が保持され、水流入口２２から流入する水と湯流入口２４流入する湯との比率を一定比率とする。
【００３５】
そして混合水温度が変化したとき、例えば混合水温度が高温側に変化したときには、感温ばね５８が付勢力を高めて、第１バイアスばね５４，第２バイアスばね５６による付勢力との釣り合い位置を図中左側にシフトさせ、混合弁体３０を図中左側に微小移動させる。これにより湯側弁部３４の開度を小，水側弁部３２の開度を大として湯流入量を少なく、水流入量を多くして混合水温度を低くし、混合水温度を設定温度に維持するように働く。
【００３６】
逆に混合水温度が設定温度よりも低くなったときには、感温ばね５８が付勢力を弱くして混合弁体３０を図中右向きに微小移動させ、これにより混合水温度を高くして設定温度に維持するように働く。
【００３７】
上記温調軸４２は、温調ハンドル１２による温度設定の操作に基づいて回転により進退部材４８を図中左右方向に進退移動させ、これにより第１バイアスばね５４，第２バイアスばね５６による付勢力を増減させて、混合弁体３０を図中左右方向に進退移動させる。
【００３８】
図１に示しているように、温調軸４２には回転方向に沿って全周に亘り雄セレーション部（軸側噛合歯）６２が設けられている。
この雄セレーション部６２は、温調軸４２にリング状をなすセレーション部材（ダブルセレーション部材）６４を組み付けることによって設けられている。
このセレーション部材６４は、内周面に雌セレーション部６６を有し、この雌セレーション部６６を温調軸４２の雄セレーション部６８に噛み合せることで、温調軸４２に一体回転状態に組み付けられている。
【００３９】
７０は温調ハンドル１２に設けられた固定部で、この固定部７０が、固定ねじ７２によって温調軸４２に軸方向に抜止状態に固定されている。
尚、７４は固定部７０と温調軸４２及びセレーション部材６４との間に介挿されたスリップリングで、温調ハンドル１２はこのスリップリング７４により、固定ねじ７２による締結状態の下で（且つ後述の噛合部材８０を噛合解除位置である後退位置に位置させた状態で）、温調軸４２及びセレーション部材６４に対して回転可能である。
【００４０】
温調ハンドル１２は、断面円形の周壁部７６と、その軸方向の一端の頂部７８とを有しており、その周壁部７６の内側に複数（ここでは３個）の噛合部材８０が、径方向に移動可能に設けられている。
ここで３つの噛合部材８０は、周方向に１２０°ごと異なった位置に配置されている。
これら３つの噛合部材８０のそれぞれは、図１（Ｂ）に示しているように周壁部７６の内面に設けられた各一対の板状のガイド部８２にて周方向に挟まれており、温調ハンドル１２と一体回転するとともに、径方向への移動時にそれらガイド部８２にて移動案内されるようになっている。
【００４１】
これら３つの噛合部材８０には、それぞれ径方向の内面に雌セレーション部（ハンドル側噛合歯）８４が設けられており、径方向の外面において温調ハンドル１２に装着された板ばね（付勢部材）８６により径方向内方に付勢されている。
従って各噛合部材８０は、板ばね８６の付勢力により通常は内面の雄セレーション部８４がセレーション部材６４の雄セレーション部６２、即ち温調軸４２の側の雄セレーション部６２に噛み合った状態にある。
この状態で温調ハンドル１２を回転させると、その回転の操作力が３つの噛合部材８０を介して温調軸４２に伝えられ、温調軸４２が温調ハンドル１２と一体に回転せしめられる。
【００４２】
温調ハンドル１２には、温調軸４２側の雄セレーション部６２に対する噛合部材８０の噛合いを解除するための解除部材８８が、一定ストローク図１（Ａ）中右方向に押込可能に設けられている。
【００４３】
この解除部材８８は、温調ハンドル１２の外面に露出した押込みの操作部９０と、これから図１（Ａ）中右方向に突き出した脚部９２とを有しており、そしてその操作部９０の内面に対して、押し込んだ解除部材８８を元の位置に復帰させるためのコイルばねから成る復帰ばね（付勢部材）９４の付勢力が及ぼされている。
【００４４】
尚解除部材８８は、段付部９６が復帰ばね９４のばね受けを兼ねたストッパ９８に当ることによって押込端が規定される。
また段付部９６が温調ハンドル１２に設けられた抜止部材１００に当ることによって戻り端が規定され、且つ温調ハンドル１２から抜止めされる。
【００４５】
この解除部材８８は、脚部９２の先端部の押圧部１０２において噛合部材８０の被押圧部１０４を押圧し、温調軸４２側の雄セレーション部６２に噛合状態にある噛合部材８０を径方向外方に後退移動させ、雄セレーション部６２に対する噛合部材８０の噛合いを解除する。
而してこの実施形態では、その被押圧部１０４と押圧部１０２とのそれぞれにカム面としての傾斜面１０６と１０８とがそれぞれ設けられている。
【００４６】
この実施形態では、通常時は３つの噛合部材８０が温調軸４２側の雄セレーション部６２に噛み合って、温調ハンドル１２と温調軸４２とを一体回転状態に連結した状態にあり、従ってこの状態で温調ハンドル１２を回転させると、温調軸４２が共に回転して上記の混合弁体３０を移動させ、混合水の設定温度を変更する。
【００４７】
一方解除部材８８を図１（Ａ）中右方向に押し込むと、解除部材８８の押圧部１０２にて３つの噛合部材８０が図中右方向に押圧され、その際噛合部材８０の傾斜面１０６と押圧部１０２の傾斜面１０８とのカム作用で、図３に示しているように各噛合部材８０が径方向内方の噛合位置から径方向外方に後退せしめられ、ここにおいて各噛合部材８０の雌セレーション部８４と温調軸４２側の雄セレーション部６２との噛合いが解除される。
【００４８】
このとき温調ハンドル１２は空回転状態となり、従って設定した温度と実際の吐水温度との間にズレがあるときには、その空回転状態で温調ハンドル１２を回転させ、温調ハンドル１２の回転位置を調節することができる。
具体的には、実際の吐水温度と温調ハンドル１２の回転の位置に応じて表される表示の設定温度とが合う位置まで、温調ハンドル１２の回転位置を調節することができる。
【００４９】
而して温調ハンドル１２の回転位置を調節したところで、解除部材８８に加えていた力を除くと、解除部材８８が復帰ばね９４の付勢力によって押込前の元の位置へと戻り、これと同時に３つの噛合部材８０が板ばね８６による付勢力で一斉に径方向内方に移動して、再び温調軸４２側の雄セレーション部６２に噛み合うに到り、ここにおいて温調ハンドル１２と温調軸４２とが一体回転状態に連結された状態となり、以後は温調ハンドル１２を設定温度まで回転させると、正しくこれに対応した温度の吐水が吐出される。
【００５０】
以上のように本実施形態によれば、温調ハンドル１２の操作により設定した温度と実際の吐水温度との間にズレが生じている場合、単に解除部材８８を押し込むだけで、そのまま温調ハンドル１２の回転方向の位置を調節することができ、従って専門的な知識を有しない水栓の使用者であっても、簡単に温調ハンドル１２の位置調節を行うことができ、温調ハンドル１２の操作により設定した温度と実際の吐水温度とを合せることができる。
【００５１】
また本実施形態では、解除部材８８の押圧部１０２と噛合部材８０の被押圧部１０４とのそれぞれに、カム面としての傾斜面１０８，１０６が設けてあるため、解除部材８８の押込みにより軽やかに噛合部材８０を径方向外方に後退移動させることができる。
【００５２】
本実施形態ではまた、温調ハンドル１２に、上記の噛合部材８０を径方向に移動案内するガイド部８２が設けてあることから、噛合部材８０を円滑に径方向外方に後退移動させ、或いはまた径方向内方に移動させて雄セレーション部６２と噛み合せることができる。
【００５３】
尚、上記実施形態では噛合部材８０を径方向内方に付勢する付勢部材として板ばね８６を用いているが、かかる付勢部材として図４に示しているようにコイルばね１１０を用いることも可能であるし、また図５に示しているように弾性を有するＣリング１１２を用いること、或いは更に他の別の付勢部材を用いることも可能である。
【００５４】
以上本発明の実施形態を詳述したがこれはあくまで一例示である。
例えば上記実施形態では３つの噛合部材を温調ハンドルに設けているが、場合によって１個だけ噛合部材を設けること、或いは２つ若しくは４個以上噛合部材を設けることも可能である。
更に上記実施形態では噛合部材８０を径方向に移動案内するガイド部８２を設けているが、場合によってはガイド部材８２を設けなくても良い。
また上記実施形態では噛合部材８０と解除部材９０とのそれぞれにカム面としての傾斜面を設けているが、場合によって何れか一方にだけ傾斜面を設けることも可能であるし、またカム面として傾斜面以外の形状のカム面を設けるといったことも可能である。
更に軸側噛合歯，ハンドル側噛合歯を上記のセレーション部以外の凹凸形状の噛合歯とすることも可能であり、また本発明は自動温度調節機能を有しないミキシングバルブ式の湯水混合水栓に適用することも可能である等、本発明はその趣旨を逸脱しない範囲において種々変更を加えた形態で構成可能である。
【符号の説明】
【００５５】
１０  水栓本体部
１２  温調ハンドル
２６  混合室
３０  混合弁体
４２  温調軸
５８  感温ばね
６２  雄セレーション部（軸側噛合歯）
８０  噛合部材
８２  ガイド部
８４  雌セレーション部（ハンドル側噛合歯）
８６  板ばね（付勢部材）
８８  解除部材
１０２  押圧部
１０４  被押圧部
１０６，１０８  傾斜面（カム面）
【図１】
2012241404.tif 000003
【図２】
2012241404.tif 000004
【図３】
2012241404.tif 000005
【図４】
2012241404.tif 000006
【図５】
2012241404.tif 000007
【図６】
2012241404.tif 000008